(57)【要約】【課題】  テレビ番組の再放送時に、ソーシャルネットワーキングサービス上での該テレビ番組についてのコメントのやり取りを擬似的に増加させ、コメントのやり取りを盛り上げる情報処理装置およびテレビジョン受像機を提供する。【解決手段】  情報処理装置１に、表示画面に表示中のテレビ番組についての関連データを取得する関連データ取得部１２と、該関連データに基づいて、ＳＮＳ上で発信された本放送中コメントを表す本放送中コメントデータを取得する本放送中コメントデータ取得部１４と、該関連データに基づいて、ＳＮＳ上で発信された再放送中コメントを表す再放送中コメントデータを取得する再放送中コメントデータ取得部１３と、テレビ番組の再放送中に、本放送中コメントおよび再放送中コメントを出力するコメント併合出力部１６と、を設ける。【選択図】      図２
2014036342.tif 000002
【特許請求の範囲】
【請求項１】
本放送および再放送されるテレビ番組についての情報を処理する情報処理装置であって、
表示部に表示中のテレビ番組についての関連情報を取得する関連情報取得部と、
前記関連情報に基づいて、ソーシャルネットワーキングサービス上で発信された、前記テレビ番組の本放送中のコメントである本放送中コメントを表す本放送中コメント情報を取得する本放送中コメント情報取得部と、
前記関連情報に基づいて、前記ソーシャルネットワーキングサービス上で発信された、前記テレビ番組の再放送中のコメントである再放送中コメントを表す再放送中コメント情報を取得する再放送中コメント情報取得部と、
前記テレビ番組の再放送中に、前記本放送中コメントおよび前記再放送中コメントを出力するコメント併合出力部と、を備えることを特徴とする情報処理装置。
【請求項２】
前記コメント併合出力部は、前記テレビ番組の再放送に同期させて、前記本放送中コメントを出力することを特徴とする請求項１に記載の情報処理装置。
【請求項３】
前記テレビ番組の本放送中および再放送中にコメントが入力されると、前記ソーシャルネットワーキングサービス上で該コメントを発信するコメント発信部を備えることを特徴とする請求項１または２に記載の情報処理装置。
【請求項４】
第１のテレビ局により既に本放送されたテレビ番組の放送日時よりも後の日時に、第２のテレビ局により該テレビ番組が本放送される場合において、前記表示部に該第２のテレビ局により本放送されるテレビ番組が表示されるとき、
前記本放送中コメント情報取得部は、前記第１のテレビ局により既に本放送された前記テレビ番組についての本放送中コメント情報を、前記第２のテレビ局により本放送される該テレビ番組についての本放送中コメント情報として取得し、
前記再放送中コメント情報取得部は、前記第２のテレビ局により本放送される前記テレビ番組についての本放送中コメント情報を、該第２のテレビ局により本放送される該テレビ番組についての再放送中コメント情報として取得することを特徴とする請求項１〜３のいずれか１つに記載の情報処理装置。
【請求項５】
表示部と、請求項１〜４のいずれか１つに記載の情報処理装置と、を含むことを特徴とするテレビジョン受像機。
【発明の詳細な説明】
【技術分野】
【０００１】
本発明は、情報処理装置およびテレビジョン受像機に関する。
【背景技術】
【０００２】
近年、mixi（登録商標）、Facebook（登録商標）、Twitter（登録商標）などの、各ユーザがそれぞれコメントを発信できるＳＮＳ（Social Networking Service）が広まっている。コメントの内容は様々であり、たとえば、テレビ番組を視聴する際に、該テレビ番組についてコメントを発信し、他のユーザとリアルタイムでコメントのやり取りを行う、といったこともしばしば行われる。このようなコメントのやり取りは、テレビ番組の本放送時だけではなく、再放送時に行われることもある。しかしながら、再放送時のテレビ番組の視聴者数は、本放送時における視聴者数よりも少ないのがほとんどであるので、再放送時におけるコメントのやり取りは少なく、盛り上がり難い。
【０００３】
特許文献１には、テレビ番組の再放送に関するシステムが記載されている。特許文献１に記載のシステムは、放送中のテレビ番組内に再放送部分がある場合に、該再放送部分についての、本放送時の放送データを取得する。
【先行技術文献】
【特許文献】
【０００４】
【特許文献１】特開２００６−３４５４９５号公報
【発明の概要】
【発明が解決しようとする課題】
【０００５】
特許文献１に記載のシステムとＳＮＳとを組み合わせた場合、放送中のテレビ番組内に再放送部分がある場合に、該再放送部分についての過去のコメントを表示するシステムを考えることができる。しかしながら、単に、再放送部分についての過去のコメントを表示するだけでは、現在のコメントのやり取りは盛り上がらない。
【０００６】
本発明は、このような課題を解決するためのものであり、テレビ番組の再放送時に、ソーシャルネットワーキングサービス上での該テレビ番組についてのコメントのやり取りを擬似的に増加させ、コメントのやり取りを盛り上げる情報処理装置およびテレビジョン受像機を提供することを目的とする。
【課題を解決するための手段】
【０００７】
本発明は、本放送および再放送されるテレビ番組についての情報を処理する情報処理装置であって、
表示部に表示中のテレビ番組についての関連情報を取得する関連情報取得部と、
前記関連情報に基づいて、ソーシャルネットワーキングサービス上で発信された、前記テレビ番組の本放送中のコメントである本放送中コメントを表す本放送中コメント情報を取得する本放送中コメント情報取得部と、
前記関連情報に基づいて、前記ソーシャルネットワーキングサービス上で発信された、前記テレビ番組の再放送中のコメントである再放送中コメントを表す再放送中コメント情報を取得する再放送中コメント情報取得部と、
前記テレビ番組の再放送中に、前記本放送中コメントおよび前記再放送中コメントを出力するコメント併合出力部と、を備えることを特徴とする情報処理装置である。
【０００８】
また本発明は、前記コメント併合出力部は、前記テレビ番組の再放送に同期させて、前記本放送中コメントを出力することを特徴とする。
【０００９】
また本発明は、前記テレビ番組の本放送中および再放送中にコメントが入力されると、前記ソーシャルネットワーキングサービス上で該コメントを発信するコメント発信部を備えることを特徴とする。
【００１０】
また本発明は、第１のテレビ局により既に本放送されたテレビ番組の放送日時よりも後の日時に、第２のテレビ局により該テレビ番組が本放送される場合において、前記表示部に該第２のテレビ局により本放送されるテレビ番組が表示されるとき、
前記本放送中コメント情報取得部は、前記第１のテレビ局により既に本放送された前記テレビ番組についての本放送中コメント情報を、前記第２のテレビ局により本放送される該テレビ番組についての本放送中コメント情報として取得し、
前記再放送中コメント情報取得部は、前記第２のテレビ局により本放送される前記テレビ番組についての本放送中コメント情報を、該第２のテレビ局により本放送される該テレビ番組についての再放送中コメント情報として取得することを特徴とする。
【００１１】
また本発明は、表示部と、前記情報処理装置と、を含むことを特徴とするテレビジョン受像機である。
【発明の効果】
【００１２】
本発明によれば、再放送中のテレビ番組が表示部に表示されているときに、コメント併合出力部によって、該テレビ番組の本放送中のコメントと再放送中のコメントとが併合されて出力される。したがって、テレビ番組の再放送中に、再放送中のコメントだけではなく、本放送中のコメントも出力されることになり、該テレビ番組についてのコメントのやり取りを擬似的に増加させることができ、その結果、コメントのやり取りを盛り上げることができる。また、同一のテレビ番組について、再放送が行われるたびにコメント数が増加することになるので、コメントのやり取りをより盛り上げることができる。
【図面の簡単な説明】
【００１３】
【図１】情報処理装置１の外観を示す図である。
【図２】情報処理装置１のブロック図である。
【図３】情報処理装置１が、テレビ番組を表示し、該テレビ番組についてのコメントを出力する処理を示すフローチャートである。
【図４】ユーザがコメントの出力指示を入力するときの様子を示す図である。
【図５】表示画面に表示されるコメント欄Ｋ３を示す図である。
【図６】コメント欄Ｋ３の詳細を示す図である。
【発明を実施するための形態】
【００１４】
以下に、本発明に係る情報処理装置１について説明する。図１は、情報処理装置１の外観を示す図である。情報処理装置１は、たとえば、表示画面を備え、該表示画面に本放送中のテレビ番組や再放送中のテレビ番組を表示する、テレビジョン受像機である。また、情報処理装置１は、後述するように、表示画面に表示中のテレビ番組についてのコメントデータを処理し、該表示画面にコメントを出力する。なお、情報処理装置１は、自身以外の装置の表示画面に表示中のテレビ番組についてのコメントデータを処理し、自身の表示画面にコメントを出力するように構成された、携帯電話やスマートフォンなどの携帯端末装置であってもよい。
【００１５】
図２は、情報処理装置１のブロック図である。情報処理装置１は、表示制御部１１と、関連データ取得部１２と、再放送中コメントデータ取得部１３と、本放送中コメントデータ取得部１４と、コメント投稿部１５と、コメント併合出力部１６とを含む。これらの各部１１〜１６は、ＣＰＵ（Central Processing Unit）、ＲＡＭ（Random Access Memory）、ＲＯＭ（Read Only Memory）、通信インターフェースなどによって、機能的に実現される。
【００１６】
表示制御部１１は、たとえば、地上波放送や衛星放送などのテレビ放送の放送波によって送信されたテレビ番組データを受信し、該テレビ番組データに基づくテレビ番組を、表示画面に表示させる。関連データ取得部１２は、テレビ放送の放送波によって送信された、ＥＩＴ（Event Information Table）データなどの関連データを取得する。ここで、ＥＩＴデータとは、番組名、放送日時、放送内容、再放送ラベルなどテレビ番組に関連するデータを含む一群のデータであって、電子番組表（ＥＰＧ）のもとになるデータである。
【００１７】
再放送中コメントデータ取得部１３は、関連データ取得部１２により取得された関連データに基づき、表示制御部１１により表示画面に表示されている再放送中のテレビ番組について、該再放送中にソーシャルネットワーキングサービス（以下、「ＳＮＳ」と称する）上で投稿されているコメント（以下、「再放送中コメント」と称する）を表す再放送中コメントデータを取得する。たとえば、ＳＮＳの一例として、Twitter（登録商標）を仮定する。この場合、再放送中コメントデータ取得部１３は、たとえば、Twitter（登録商標）を提供するサーバ装置とデータ通信可能にネットワーク接続されており、再放送中のテレビ番組について、その番組名や放送内容を含むハッシュタグが付加され、かつ再放送の放送時間帯に投稿された再放送中コメントを表す再放送中コメントデータを、該サーバ装置から受信して取得する。
【００１８】
本放送中コメントデータ取得部１４は、関連データ取得部１２により取得された関連データに基づき、表示制御部１１により表示画面に表示されている再放送中のテレビ番組について、再放送より前に行われた本放送中にＳＮＳ上で投稿されたコメント（以下、「本放送中コメント」と称する）を表す本放送中コメントデータを取得する。たとえば、ＳＮＳの一例として、Twitter（登録商標）を仮定する。この場合、本放送中コメントデータ取得部１４は、たとえば、Twitter（登録商標）上で投稿されたコメントのログを記録するサービスであるTwilogを提供するサーバ装置とデータ通信可能にネットワーク接続されており、再放送中のテレビ番組について、その番組名や放送内容を含むハッシュタグが付加され、かつ本放送の放送時間帯に投稿された本放送中コメントを表す本放送中コメントデータを、該サーバ装置から受信して取得する。
【００１９】
コメント投稿部１５は、ユーザによるコメントの入力を受けて、該コメントをＳＮＳ上で投稿（発信）する。たとえば、ＳＮＳの一例として、Twitter（登録商標）を仮定する。この場合、コメント投稿部１５は、たとえば、Twitter（登録商標）を提供するサーバ装置とデータ通信可能にネットワーク接続されており、ユーザにより入力されたコメントを該サーバ装置へ送信する。
【００２０】
コメント併合出力部１６は、表示制御部１１によって再放送中のテレビ番組が表示画面に表示されているときに、再放送中コメントデータ取得部１３により取得された再放送中コメントデータおよび本放送中コメントデータ取得部１４により取得された本放送中コメントデータに基づいて、再放送中コメントおよび本放送中コメントを、該再放送中のテレビ番組に同期させて、表示画面に出力する。ここでいう同期させて出力するとは、再放送中コメントについては、ＳＮＳ上で投稿された再放送中コメントを、ただちに表示画面に出力することを指し、本放送中コメントについては、再放送中のテレビ番組の番組内時刻が本放送中コメントの番組内投稿時点になったときに、該本放送中コメントを表示画面に出力することを指す。番組内時刻とは、テレビ番組の開始時点を起点として該テレビ番組の進行時間によって表される時刻であり、本放送中コメントの番組内投稿時点とは、本放送されたテレビ番組の番組内時刻を基準とする、本放送中コメントの投稿時点である。
【００２１】
このようなコメント併合出力部１６の処理により、現在の再放送中に投稿されている再放送中コメントと、過去の本放送中に投稿された本放送中コメントとが、番組内時刻を基準とする時系列で、表示画面に次々に出力されることになる。したがって、情報処理装置１によれば、テレビ番組の再放送中に、再放送中のコメントだけではなく、本放送中のコメントも出力されることになり、該テレビ番組についてのコメントのやり取りを擬似的に増加させることができ、その結果、コメント数が少なくなりがちな再放送のテレビ番組であっても、コメントのやり取りを盛り上げることができる。
【００２２】
この情報処理装置１について、図３〜図６を用いて、より詳細に説明する。図３は、情報処理装置１が、テレビ番組を表示し、該テレビ番組についてのコメントを出力する処理を示すフローチャートである。
【００２３】
ステップＳ１では、表示制御部１１が、表示画面にテレビ番組を表示させる。また、関連データ取得部１２が、該テレビ番組についてのＥＩＴデータなどの関連データを取得する。
【００２４】
ステップＳ２では、ユーザの操作によって、表示制御部１１により表示画面に表示中のテレビ番組についてＳＮＳ上で投稿されたコメントの出力指示が入力される。図４に、ユーザがコメントの出力指示を入力するときの様子を示す。ユーザは、テレビ番組の視聴中に、該テレビ番組とともに表示画面に表示されている「ＳＮＳコメント表示」キーＫ１を選択する。「ＳＮＳコメント表示」キーＫ１が選択されると、「表示決定」キーＫ２が表示画面に表示される。次に、ユーザは、「表示決定」キーＫ２を選択する。このような操作を行うことによって、情報処理装置１に、コメントの出力指示が入力される。なお、「表示決定」キーＫ２を選択した後に、必要に応じて、ユーザＩＤやパスワードを入力するようにしてもよい。
【００２５】
ステップＳ３では、コメント併合出力部１６が、関連データ取得部１２により取得されたＥＩＴデータから、表示制御部１１により表示画面に表示中のテレビ番組が再放送のテレビ番組であるか否かを判断する。再放送のテレビ番組である場合はステップＳ４へ進み、再放送のテレビ番組ではない場合は処理を終了する。なお、処理を終了する代わりに、コメント併合出力部１６が、表示制御部１１により表示画面に表示中のテレビ番組について、現在投稿されているコメントを、該表示画面に出力してもよい。
【００２６】
また、地方によっては、テレビ番組の本放送の放送日時が、都市部における、同一のテレビ番組の本放送の放送日時よりも遅れている場合がある。すなわち、第１のテレビ局（都市部のテレビ局）により既に本放送されたテレビ番組の放送日時以降の日時に、第２のテレビ局（地方のテレビ局）により該テレビ番組が本放送される場合がある。このような場合、第２のテレビ局（地方のテレビ局）により本放送されるテレビ番組についてＳＮＳ上で投稿されるコメントの数は少なくなる。そこで、コメント併合出力部１６は、第２のテレビ局（地方のテレビ局）によって遅れて本放送されるテレビ番組を、再放送のテレビ番組とみなすように構成されてもよい。このように構成される場合、コメント併合出力部１６は、テレビ番組の放送日時が遅れているか否かを、他のテレビ局についての過去のＥＰＧを検索して、該テレビ番組が存在するか否かによって判断する。この判断のために、関連データ取得部１２は、各テレビ局の過去のＥＰＧを、関連データとして取得する。
【００２７】
ステップＳ４では、本放送中コメントデータ取得部１４が、表示制御部１１により表示画面に表示中のテレビ番組についての本放送中コメントデータの取得を開始する。なお、表示制御部１１により表示画面に表示されている再放送中のテレビ番組の放送日時以前、かつ該テレビ番組の本放送の放送日時以降に、該テレビ番組について他の再放送が行われている場合がある。すなわち、表示制御部１１により表示画面に表示されている再放送中のテレビ番組が、２回目以降の再放送のテレビ番組である場合がある。この場合、本放送中コメントデータ取得部１４は、該他の再放送も本放送とみなし、該他の再放送中にＳＮＳ上で投稿されたコメントを表すコメントデータを、本放送中コメントデータとして取得する。
【００２８】
ステップＳ５では、コメント併合出力部１６が、本放送中コメントデータ取得部１４により本放送中コメントデータが取得されたか否かを判断する。本放送中コメントデータが取得された場合はステップＳ６へ進み、本放送中コメントデータが取得されなかった場合は処理を終了する。なお、処理を終了する代わりに、コメント併合出力部１６が、表示制御部１１により表示画面に表示中のテレビ番組について、再放送中コメントを、該表示画面に出力してもよい。
【００２９】
ステップＳ６では、コメント併合出力部１６によって、図５に示すように、表示画面にコメント欄Ｋ３が表示される。コメント併合出力部１６は、再放送中コメントデータ取得部１３により取得された再放送中コメントデータと本放送中コメントデータ取得部１４により取得された本放送中コメントデータとに基づいて、該コメント欄Ｋ３内に、再放送中コメントおよび本放送中コメントを表示させる。
【００３０】
コメント併合出力部１６によるコメントの出力についての具体例を説明する。たとえば、関連データ取得部１２は、標準時（たとえばＪＳＴやＧＭＴ）を基準とする、本放送のテレビ番組の放送時間帯および該テレビ番組に付随したＣＭ挿入時間帯と、標準時を基準とする、本放送中コメントの投稿時点とを照合して、該テレビ番組の本放送中に投稿された本放送中コメントの番組内投稿時点を、関連データとして取得する。また、関連データ取得部１２は、情報処理装置１により視聴可能なテレビ番組の各番組内時刻のうち、表示制御部１１により表示画面に表示されている再放送中のテレビ番組の番組内時刻を、関連データとして取得する。そして、コメント併合出力部１６は、表示制御部１１により表示画面に表示中の再放送中のテレビ番組の番組内時刻が本放送中コメントの番組内投稿時点になったときに、該本放送中コメントをコメント欄Ｋ３内に表示させる。さらに、コメント併合出力部１６は、このような処理に並行して、該テレビ番組の再放送中にＳＮＳ上で投稿された再放送中コメントを、ただちにコメント欄Ｋ３内に表示させる。これらの処理により、コメント併合出力部１６は、テレビ番組に付随して放送されるＣＭの放送時間が本放送と再放送とで異なっていても、再放送中のテレビ番組に合わせて、再放送中コメントおよび本放送中コメントを表示させることができる。
【００３１】
なお、上記では、コメント併合出力部１６は、再放送中コメントデータ取得部１３により取得された再放送中コメントデータと本放送中コメントデータ取得部１４により取得された本放送中コメントデータとに基づいて、再放送中コメントと本放送中コメントとを併せて出力しているが、再放送中コメントと本放送中コメントとを併せた上で番組内時刻における時系列で並べたタイムラインを記憶する他の装置から、該タイムラインを受信して、該タイムラインのまま出力してもよい。
【００３２】
また、上述したように第２のテレビ局（地方のテレビ局）によって遅れて本放送されているテレビ番組が表示制御部１１により表示画面に表示中である場合、本放送中コメントデータ取得部１４は、第１のテレビ局（都市部のテレビ局）により既に本放送された該テレビ番組についての本放送中コメントデータを、該表示中のテレビ番組についての本放送中コメントデータとして取得し、再放送中コメントデータ取得部１３は、第２のテレビ局（地方のテレビ局）により本放送中の該テレビ番組についての本放送中コメントデータを、該表示中のテレビ番組についての再放送中コメントデータとして取得する。そして、コメント併合出力部１６は、このようにして取得された再放送中コメントデータおよび本放送中コメントデータに基づいて、再放送中コメントと本放送中コメントとを併せて出力する。
【００３３】
図６に、コメント欄Ｋ３の詳細を示す。図６（ａ）は、コメント欄Ｋ３内の「コメント」キーＫ４が操作される前の状態を示し、図６（ｂ）は、コメント欄Ｋ３内の「コメント」キーＫ４が操作された後の状態を示す。図６に示すように、「コメント」キーＫ４が操作されると、コメント併合出力部１６によって、コメント入力枠Ｋ５および「コメント送信」キーＫ６が表示画面に表示される。コメント入力枠Ｋ５内には、ユーザによって入力された文字が表示され、コメント入力枠Ｋ５内に文字が表示された状態で「コメント送信」キーＫ６が選択されると、コメント投稿部１５により、該文字によって表されるコメントが、ＳＮＳ上で投稿される。なお、コメント併合出力部１６は、図６（ｂ）に示す状態になった後、所定時間経過しても「コメント送信」キーＫ６が選択されないときに、図６（ａ）に示す状態へ戻す。
【００３４】
図６に示すコメント欄Ｋ３内には、コメント併合出力部１６によって、ユーザＩＤがＡのユーザの文字コメントと、ユーザＩＤがＢのユーザの文字コメントと、ユーザＩＤがＣのユーザの文字コメントとが出力されている。なお、コメント併合出力部１６は、文字コメントの他に、音声コメントを出力してもよいし、画像を出力してもよい。また、コメント併合出力部１６は、ユーザＩＤとともに、ユーザを示すサムネイルを出力してもよい。
【００３５】
また、図６に示すコメント欄Ｋ３内には、コメント併合出力部１６によって、各文字コメントとともに、紙面左側に番組内時刻におけるコメントの投稿時点が出力され、紙面右側に標準時におけるコメントの投稿時点が出力されている。なお、いずれか一方の投稿時点が出力されるようにしてもよい。
【００３６】
また、図６に示すコメント欄Ｋ３内には、表示制御部１１により表示画面に表示されている再放送中のテレビ番組に同期したコメントが、コメント併合出力部１６によって、紙面で最も上側に出力される。そして、番組内時刻において該コメントよりも過去のコメントが、コメント併合出力部１６によって、紙面下側に出力される。
【００３７】
なお、本放送中コメントは既に本放送されたテレビ番組についてのコメントであるので、コメント併合出力部１６は、すべての本放送中コメントを、コメント欄Ｋ３内に出力することが可能である。そこで、コメント併合出力部１６は、表示制御部１１により表示画面に表示されている再放送中のテレビ番組に同期したコメントよりも番組内時刻において未来のコメントを、コメント欄Ｋ３内に出力してもよい。ただし、未来のコメントが出力されると、テレビ番組の放送内容が先に分かってしまうことになるので、該テレビ番組を初めて見るユーザは、未来のコメントが出力されないことを望む場合があり得る。よって、図６に示すコメント欄Ｋ３に対して紙面下方向へのスライド操作を行ったり、図示しない未来コメント表示キーを操作したりしたときにのみ、コメント併合出力部１６が未来のコメントを出力するように構成するのが好ましい。
【００３８】
以上が、本発明に係る情報処理装置１の詳細である。この情報処理装置１によれば、ステップＳ４のように、２回目以降の再放送のテレビ番組である場合、該再放送以前の再放送も本放送とみなして、コメント併合出力部１６によって本放送コメントを出力するので、再放送が繰り返されるたびに、該テレビ番組についてのコメントが増加し、その結果、コメントのやり取りをより盛り上げることができる。なお、コメントが増加し過ぎた場合のために、予め登録したユーザが投稿した再放送中コメントおよび本放送中コメントのみを出力するように設定したり、同一のユーザについては、標準時で最も新しく放送されたテレビ番組についてのコメントのみを出力するように設定したりしてもよい。
【００３９】
また、情報処理装置１によれば、第２のテレビ局（地方のテレビ局）によって遅れて本放送されているテレビ番組が表示制御部１１により表示画面に表示中である場合、該テレビ番組は再放送のテレビ番組であるとして扱われるので、コメント数が少なくなりがちな、放送日時が遅れているテレビ番組についても、コメントのやり取りを擬似的に増加させ、コメントのやり取りを盛り上げることができる。
【符号の説明】
【００４０】
１  情報処理装置
１１  表示制御部
１２  関連データ取得部
１３  再放送中コメントデータ取得部
１４  本放送中コメントデータ取得部
１５  コメント投稿部
１６  コメント併合出力部
【図１】
2014036342.tif 000003
【図２】
2014036342.tif 000004
【図３】
2014036342.tif 000005
【図５】
2014036342.tif 000006
【図４】
2014036342.tif 000007
【図６】
2014036342.tif 000008